(57)【要約】      （修正有）【課題】登録されている検索対象情報から検索条件に関連する検索対象情報を検索結果として表示する場合において、検索された検索対象情報にユーザの貸出履歴を表示することで、貸出履歴の確認作業の効率化を図る。【解決手段】ユーザの識別情報とユーザが利用した検索対象情報を利用履歴として蓄積しておき、ユーザが検索対象情報を条件を指定して検索した際、検索結果一覧画面において、検索された書籍毎にログインユーザの貸出履歴を表示する。【選択図】図１１
2014021764.tif 000002
【特許請求の範囲】
【請求項１】
予め格納されている複数の検索対象の情報のうち、利用者に指定された条件に関連する情報を抽出する検索装置であって、
前記条件を指定する利用者を識別するための利用者識別情報を取得する利用者識別情報取得部と、
前記検索対象の情報に関連する情報が蓄積されている蓄積関連情報を指定された前記条件に基づいて参照し、指定された前記条件に関連する前記検索対象の情報を抽出する検索処理部と、
前記利用者識別情報と前記検索対象の情報とが関連付けられることにより前記利用者における前記検索対象の情報の利用に関する履歴の情報が蓄積されている利用者履歴情報を参照し、抽出された前記検索対象の情報夫々について、取得された前記利用者識別情報によって識別される利用者の利用履歴の有無を判断する履歴情報処理部と、
抽出された前記検索対象の情報の一覧及び判断された前記検索対象の情報夫々についての前記利用履歴の有無を示す検索結果一覧画面を表示するための検索結果一覧表示情報を生成して出力する検索結果一覧出力部と、
を含むことを特徴とする検索装置。
【請求項２】
前記検索結果一覧出力部は、前記検索対象の情報の一覧における夫々の前記検索対象の情報の表示態様を、前記履歴情報処理部により判断された前記検索対象の情報夫々についての前記利用履歴の有無に基づいて変えるように、前記検索結果一覧画面を表示するための検索結果一覧表示情報を生成して出力することを特徴とする請求項１に記載の検索装置。
【請求項３】
前記検索結果一覧出力部は、前記検索対象の情報の一覧における夫々の前記検索対象の情報に対して、前記履歴情報処理部により判断された前記検索対象の情報夫々についての前記利用履歴の有無に応じた識別子を付すように、前記検索結果一覧画面を表示するための検索結果一覧表示情報を生成して出力することを特徴とする請求項１又は２に記載の検索装置。
【請求項４】
前記検索結果一覧出力部は、抽出された前記検索対象の情報の一覧を示す前記検索結果一覧画面と、抽出された前記検索対象の情報のうち前記履歴情報処理部により前記検索対象の情報夫々についての前記利用履歴が無いと判断された検索対象の情報の一覧のみを示す画面と、を切り替え可能なように、前記検索結果一覧画面を表示するための検索結果一覧表示情報を生成して出力することを特徴とする請求項１乃至３いずれか１項に記載の検索装置。
【請求項５】
前記検索結果一覧出力部は、抽出された前記検索対象の情報の一覧を示す前記検索結果一覧画面と、抽出された前記検索対象の情報のうち前記履歴情報処理部により前記検索対象の情報夫々についての前記利用履歴があると判断された検索対象の情報の一覧のみを示す画面と、を切り替え可能なように、前記検索結果一覧画面を表示するための検索結果一覧表示情報を生成して出力することを特徴とする請求項１乃至４いずれか１項に記載の検索装置。
【請求項６】
前記検索結果一覧出力部は、抽出された前記検索対象の情報のうち前記履歴情報処理部により前記検索対象の情報夫々についての前記利用履歴が無いと判断された検索対象の情報の一覧のみを示す画面と、抽出された前記検索対象の情報のうち前記履歴情報処理部により前記検索対象の情報夫々についての前記利用履歴があると判断された検索対象の情報の一覧のみを示す画面と、を切り替え可能なように前記検索結果一覧画面を表示するための検索結果一覧表示情報を生成して出力することを特徴とする請求項１乃至５いずれか１項に記載の検索装置。
【請求項７】
予め格納されている複数の検索対象の情報のうち、利用者に指定された条件に関連する情報を抽出する検索プログラムであって、
前記条件を指定する利用者を識別するための利用者識別情報を取得するステップと、
前記検索対象の情報に関連する情報が蓄積されている蓄積関連情報を指定された前記条件に基づいて参照し、指定された前記条件に関連する前記検索対象の情報を抽出するステップと、
前記利用者識別情報と前記検索対象の情報とが関連付けられることにより前記利用者における前記検索対象の情報の利用に関する履歴の情報が蓄積されている利用者履歴情報を参照し、抽出された前記検索対象の情報夫々について、取得された前記利用者識別情報によって識別される利用者の利用履歴の有無を判断するステップと、
抽出された前記検索対象の情報の一覧及び判断された前記検索対象の情報夫々についての前記利用履歴の有無を示す検索結果一覧画面を表示するための検索結果一覧表示情報を生成して出力するステップと、
を実行することを特徴とする検索プログラム。
【請求項８】
予め格納されている複数の検索対象の情報のうち、利用者に指定された条件に関連する情報を抽出する検索システムであって、
前記条件を指定する利用者を識別するための利用者識別情報を取得する利用者識別情報取得部と、
指定された前記条件を受け付ける指定条件受付部と、
前記検索対象の情報に関連する情報が蓄積されている蓄積関連情報を指定された前記条件に基づいて参照し、指定された前記条件に関連する前記検索対象の情報を抽出する検索処理部と、
前記利用者識別情報と前記検索対象の情報とが関連付けられることにより前記利用者における前記検索対象の情報の利用に関する履歴の情報が蓄積されている利用者履歴情報を参照し、抽出された前記検索対象の情報夫々について、取得された前記利用者識別情報によって識別される利用者の利用履歴の有無を判断する履歴情報処理部と、
抽出された前記検索対象の情報の一覧及び判断された前記検索対象の情報夫々についての前記利用履歴の有無を示す検索結果一覧画面を表示するための検索結果一覧表示情報を生成して出力する検索結果一覧出力部と、
出力された前記検索結果一覧表示情報に基づいて前記検索結果一覧画面を表示装置に表示させる検索結果一覧画面表示処理部と、
を含むことを特徴とする検索システム。
【発明の詳細な説明】
【技術分野】
【０００１】
本発明は、検索装置、検索プログラム及び検索システムに関し、特に、検索装置における検索結果の表示方法に関する。
【背景技術】
【０００２】
従来、図書館においては、書籍の書誌情報や蔵書場所を記載した蔵書目録カードを作成し、この蔵書目録カードをタイトル順、著者名順、件名別、分野別に並べるなどして蔵書する書籍を管理していた。しかしながら、このような蔵書目録カードにより書籍を管理する方法では、書籍が登録される度に蔵書目録カードを作成し、蔵書場所に変更が生じると蔵書目録カードを修正し若しくは作成し直し、書籍を貸し出しする度にその履歴を記録し、書籍の蔵書場所を探す等の作業を全て人の手で行う必要があり手間と時間がかかっていた。また、このような蔵書目録カードにより書籍を管理する方法では、膨大な量の蔵書目録カードから所望の書籍に対応する蔵書目録カードを探し出さなければならないため、書籍の検索に関しては特に手間と時間を要していた。
【０００３】
そこで近年では、コンピュータ技術の発達に伴い、上記のような問題を解決するために、蔵書目録カードに相当する情報を電子的に管理する書籍管理システムが開発され、広く普及し利用されている。このような書籍管理システムにおいては、書籍を管理するための手間と時間を低減することができる上に、書籍の検索を容易にする書籍検索システムを含むため、ユーザは膨大な蔵書の中から所望の書籍を短時間でかつ簡単に検索することができるようになっている。例えば、ユーザは、ＰＣ（Ｐｅｒｓｏｎａｌ  Ｃｏｍｐｕｔｅｒ）等のクライアント端末を操作することにより、上記書籍検索システムにアクセスし、キーワード等の検索条件を入力するだけで、その検索条件に適合した書籍のみを検索することができる。
【０００４】
そして、このような書籍検索システムは通常、検索の結果、検索条件に適合した書籍の、タイトルや著者名、出版社、出版日等の書誌情報を検索結果一覧画面に書籍毎に表示するようになっている。また、このような書籍検索システムは通常、ユーザ操作により上記検索結果一覧画面から一の書籍が選択されると、選択された書籍の、上記検索結果一覧画面には表示されないさらに詳細な書誌情報が表示された詳細画面を表示するようになっている。このように、上記書籍検索システムにおいては、ユーザが上記検索結果一覧画面や詳細画面を閲覧しながら借りたい書籍を選択することが可能となっている（例えば、特許文献１参照）。
【発明の概要】
【発明が解決しようとする課題】
【０００５】
ところで、このような書籍検索システムにおいては、ユーザが書籍を検索する目的によっては、そのユーザが過去に一度も借りたことがない書籍と過去に借りたことがある書籍とを区別して表示することが求められる場合がある。例えば、ユーザは、複数巻からなる連続小説の続きの巻を借りたいとした場合、どの巻までを読んだか覚えていなければ、前回までに借りた巻と同じ巻を誤って借りてしまう可能性がある。そのため、このような場合には、書籍検索システムは、上述したように、過去に一度も借りたことがない書籍と過去に借りたことがある書籍とを区別して表示することが望ましい。
【０００６】
そこで、検索結果一覧画面においてユーザにより一の書籍が選択されたら、そのユーザの貸出履歴を表示することにより、過去に一度も借りたことがない書籍と過去に借りたことがある書籍とを区別して表示することができる書籍検索システムが考案され既に知られている。このように、過去に一度も借りたことがない書籍と過去に借りたことがある書籍とを区別して表示することができる書籍検索システムは、例えば、検索結果一覧画面においてユーザにより一の書籍が選択されたら、上記詳細画面等の、検索結果一覧画面以外の画面を表示して、その画面上に上記検索結果一覧画面で選択された書籍がそのユーザによって過去に借りられたことがあるか否かを表示するようになっている。
【０００７】
そのため、上記のような従来の書籍検索システムにおいては、ユーザは、自ら特定の操作を行わなければ自身の貸出履歴を確認することができず、ユーザによる貸出履歴の確認作業に手間がかかってしまうといった問題がある。また、上記のような従来の書籍検索システムにおいては、検索結果一覧画面に複数の書籍が表示されていても、一つずつしか貸出履歴を確認することができないため、さらに、ユーザによる貸出履歴の確認作業に手間がかかってしまうといった問題がある。
【０００８】
このような問題は、上述したような書籍を検索対象の情報として検索するための書籍検索システムに限らず、電子書籍を検索する電子書籍検索システムや、ゲームや画像、動画、音楽などのコンテンツを検索するコンテンツ検索システム、靴や服、雑貨、食品等の物品を検索する物品検索システム等、あらゆる検索対象についての検索システムにおいて生じうる問題である。また、このような問題は、上述したような書籍の貸出履歴のみならずショッピングセンターやネットショッピングにおける物品の購入履歴についても同様に生じうる問題である。
【０００９】
本発明は、このような課題を解決するためになされたものであり、登録されている検索対象の情報から検索条件に関連する検索対象の情報を検索結果として表示する場合において、貸出履歴の確認作業の効率化を図ることを目的とする。
【課題を解決するための手段】
【００１０】
上記課題を解決するために、予め格納されている複数の検索対象の情報のうち、利用者に指定された条件に関連する情報を抽出する検索装置であって、前記条件を指定する利用者を識別するための利用者識別情報を取得する利用者識別情報取得部と、前記検索対象の情報に関連する情報が蓄積されている蓄積関連情報を指定された前記条件に基づいて参照し、指定された前記条件に関連する前記検索対象の情報を抽出する検索処理部と、前記利用者識別情報と前記検索対象の情報とが関連付けられることにより前記利用者における前記検索対象の情報の利用に関する履歴の情報が蓄積されている利用者履歴情報を参照し、抽出された前記検索対象の情報夫々について、取得された前記利用者識別情報によって識別される利用者の利用履歴の有無を判断する履歴情報処理部と、抽出された前記検索対象の情報の一覧及び判断された前記検索対象の情報夫々についての前記利用履歴の有無を示す検索結果一覧画面を表示するための検索結果一覧表示情報を生成して出力する検索結果一覧出力部と、を含むことを特徴とする。
【００１１】
また、本発明の他の態様は、予め格納されている複数の検索対象の情報のうち、利用者に指定された条件に関連する情報を抽出する検索プログラムであって、前記条件を指定する利用者を識別するための利用者識別情報を取得するステップと、前記検索対象の情報に関連する情報が蓄積されている蓄積関連情報を指定された前記条件に基づいて参照し、指定された前記条件に関連する前記検索対象の情報を抽出するステップと、前記利用者識別情報と前記検索対象の情報とが関連付けられることにより前記利用者における前記検索対象の情報の利用に関する履歴の情報が蓄積されている利用者履歴情報を参照し、抽出された前記検索対象の情報夫々について、取得された前記利用者識別情報によって識別される利用者の利用履歴の有無を判断するステップと、抽出された前記検索対象の情報の一覧及び判断された前記検索対象の情報夫々についての前記利用履歴の有無を示す検索結果一覧画面を表示するための検索結果一覧表示情報を生成して出力するステップと、を実行することを特徴とする。
【００１２】
また、本発明の更に他の態様は、予め格納されている複数の検索対象の情報のうち、利用者に指定された条件に関連する情報を抽出する検索システムであって、前記条件を指定する利用者を識別するための利用者識別情報を取得する利用者識別情報取得部と、指定された前記条件を受け付ける指定条件受付部と、前記検索対象の情報に関連する情報が蓄積されている蓄積関連情報を指定された前記条件に基づいて参照し、指定された前記条件に関連する前記検索対象の情報を抽出する検索処理部と、前記利用者識別情報と前記検索対象の情報とが関連付けられることにより前記利用者における前記検索対象の情報の利用に関する履歴の情報が蓄積されている利用者履歴情報を参照し、抽出された前記検索対象の情報夫々について、取得された前記利用者識別情報によって識別される利用者の利用履歴の有無を判断する履歴情報処理部と、抽出された前記検索対象の情報の一覧及び判断された前記検索対象の情報夫々についての前記利用履歴の有無を示す検索結果一覧画面を表示するための検索結果一覧表示情報を生成して出力する検索結果一覧出力部と、出力された前記検索結果一覧表示情報に基づいて前記検索結果一覧画面を表示装置に表示させる検索結果一覧画面表示処理部と、を含むことを特徴とする。
【発明の効果】
【００１３】
本発明によれば、登録されている検索対象の情報から検索条件に関連する検索対象の情報を検索結果として表示する場合において、貸出履歴の確認作業の効率化を図ることができる。
【図面の簡単な説明】
【００１４】
【図１】本発明の実施形態に係る書籍検索システムの運用形態の例を示す図である。
【図２】本発明の実施形態に係る書籍情報管理サーバのハードウェア構成を模式的に示すブロック図である。
【図３】本発明の実施形態に係る書籍情報管理サーバの機能構成を模式的に示すブロック図である。
【図４】本発明の実施形態に係るユーザ情報データベースが格納しているユーザ認証情報管理テーブルの一例を示す図である。
【図５】本発明の実施形態に係るユーザ情報データベースが格納しているログイン履歴テーブルの一例を示す図である。
【図６】本発明の実施形態に係るユーザ情報データベースが格納しているユーザ貸出履歴テーブルの一例を示す図である。
【図７】本発明の実施形態に係る書籍情報データベースが格納している所蔵管理テーブルのデータ構造の一例を示す図である。
【図８】本発明の実施形態に係るクライアント端末の機能構成を模式的に示すブロック図である。
【図９】本発明の実施形態に係る書籍検索システムが書籍を検索して検索結果の一覧を表示するまでの処理について説明するためのシーケンス図である。
【図１０】本発明の実施形態に係るクライアント端末のディスプレイパネルに表示される検索条件入力画面の表示例を示す図である。
【図１１】本発明の実施形態に係るクライアント端末のディスプレイパネルに表示される検索結果一覧画面の表示例を示す図である。
【図１２】本発明の実施形態に係るクライアント端末のディスプレイパネルに表示される検索結果一覧画面の表示例を示す図である。
【図１３】本発明の実施形態に係るクライアント端末のディスプレイパネルに表示される検索結果一覧画面の表示例を示す図である。
【図１４】本発明の実施形態に係るクライアント端末のディスプレイパネルに表示される検索結果一覧画面の表示例を示す図である。
【発明を実施するための形態】
【００１５】
以下、図面を参照して、本発明の実施形態を詳細に説明する。本実施形態においては、ユーザがクライアント端末を操作することにより、図書館に所蔵されている全書籍を検索対象の情報とし、その検索対象の情報である全書籍の中から検索条件に合致する書籍を検索する書籍検索システムを例として説明する。
【００１６】
このような本実施形態に係る書籍検索システムにおいては、検索条件に合致した書籍が表示される検索結果一覧画面において、ログインユーザが過去に借りたことがある書籍については、その旨をユーザに知らせるための表示がなされる。従って、本実施形態に係る書籍検索システムによれば、ユーザは、検索結果一覧画面以外の画面を開くことなく、検索結果一覧画面を閲覧するだけで、自身の貸出履歴を確認することが可能となるので、ユーザによる貸出履歴の確認作業の効率化を図ることが可能となる。以下、詳細に説明する。
【００１７】
まず、図１を参照して本実施形態に係る書籍検索システムの運用形態について説明する。図１は、本実施形態に係る書籍検索システムの運用形態の例を示す図である。図１に示すように、本実施形態に係る書籍検索システムは、書籍情報管理サーバ１、クライアント端末２がＥｔｈｅｒｎｅｔ（登録商標）等のネットワーク３を介して接続されて運用される。尚、ネットワーク３に接続されているクライアント端末２の数は一例であり、これらがもっと多く接続された大規模なシステムであっても良い。
【００１８】
また、図１におけるネットワーク３は、例えば、オフィスＬＡＮ（Ｌｏｃａｌ  Ａｒｅａ  Ｎｅｔｗｏｒｋ）等の限定されたネットワークであるが、書籍情報管理サーバ１、クライアント端末２がそれぞれ異なるネットワークに接続され、それらのネットワークが公衆回線等の広域ネットワークを介して接続されて運用されても良い。また、書籍情報管理サーバ１、クライアント端末２が、直接公衆回線等の広域ネットワークに接続される態様とすることも可能である。
【００１９】
書籍情報管理サーバ１は、ネットワーク上に存在する共有サーバであり、図書館に所蔵されている書籍と利用者であるユーザとを管理するサーバである。本実施形態に係る書籍情報管理サーバ１は、Ｗｅｂサーバ機能を備え、クライアント端末２のＷｅｂブラウザ上に書籍検索に関する各種情報を表示させる。また、書籍情報管理サーバ１は、クライアント端末２のＷｅｂブラウザ上で入力された検索条件に基づいて書籍情報管理サーバ１に登録されている書籍からユーザが所望する書籍を検索する。
【００２０】
クライアント端末２は、ユーザが操作する情報処理端末であり、ＰＣ（Ｐｅｒｓｏｎａｌ  Ｃｏｍｐｕｔｅｒ）の他、携帯電話やスマートフォン、タブレット端末、ＰＤＡ（Ｐｅｒｓｏｎａｌ  Ｄｉｇｉｔａｌ  Ａｓｓｉｓｔａｎｔ）等の携帯型の情報処理装置によって実現されても良い。また、本実施形態に係るクライアント端末２は、ＩＥ（Ｉｎｔｅｒｎｅｔ  Ｅｘｐｌｏｒｅｒ）（登録商標）等のＷｅｂブラウザを備え、ユーザがＷｅｂブラウザ上で入力した書籍の検索指示を書籍情報管理サーバ１に通知することができる。
【００２１】
次に、本実施形態に係る書籍情報管理サーバ１、クライアント端末２のハードウェア構成について図２を参照して説明する。図２は、本実施形態に係る書籍情報管理サーバ１のハードウェア構成を模式的に示すブロック図である。以下の説明においては、画像形成装置１のハードウェア構成を例として説明するが、クライアント端末２についても同様である。
【００２２】
図２に示すように、本実施形態に係る書籍情報管理サーバ１は、一般的なサーバやＰＣ等と同様の構成を含む。即ち、本実施形態に係る書籍情報管理サーバ１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２３】
ＣＰＵ１０は演算手段であり、書籍情報管理サーバ１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２４】
Ｉ／Ｆ５０は、バス８０と各種のハードウェアやネットワーク等を接続し制御する。ＬＣＤ６０は、ユーザが書籍情報管理サーバ１の状態を確認するための視覚的ユーザインタフェースである。操作部７０は、キーボードやマウス等、ユーザが書籍情報管理サーバ１に情報を入力するためのユーザインタフェースである。尚、図１において説明したように、本実施形態に係る書籍情報管理サーバ１は共有サーバとして運用される。従って、書籍情報管理サーバ１については、ＬＣＤ６０及び操作部７０等のユーザインタフェースは省略可能である。
【００２５】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る書籍情報管理サーバ１の機能を実現する機能ブロックが構成される。
【００２６】
次に、本実施形態に係る書籍情報管理サーバ１の機能構成について、図３を参照して説明する。図３は、本実施形態に係る書籍情報管理サーバ１の機能構成を模式的に示すブロック図である。図３に示すように、本実施形態に係る書籍情報管理サーバ１は、書籍情報管理部１００及びネットワークＩ／Ｆ１０１を有する。また、書籍情報管理部１００は、Ｗｅｂサーバ１１０、ログイン処理部１２０、ユーザ情報データベース１３０（以下「ユーザ情報ＤＢ１３０」とする）、書籍情報検索部１４０、書籍情報データベース１５０（以下、「書籍情報ＤＢ１２０」とする）を含む。
【００２７】
ネットワークＩ／Ｆ１０１は、書籍情報管理サーバ１がネットワークを介してクライアント端末２等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。尚、ネットワークＩ／Ｆ１０８は、図２に示すＩ／Ｆ５０によって実現される。
【００２８】
書籍情報管理部１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って動作することにより構成されるソフトウェア制御部と集積回路などのハードウェアとによって書籍情報管理部１００が構成される。書籍情報管理部１００は、書籍情報管理サーバ１全体を制御する制御部として機能する。
【００２９】
ユーザ情報ＤＢ１１０は、ユーザ認証情報管理テーブル（以下、「ユーザ認証情報管理Ｔｂ」とする）、ログイン履歴テーブル（以下、「ログイン履歴Ｔｂ」とする）、ユーザ貸出履歴テーブル（以下、「ユーザ貸出履歴Ｔｂ」とする）を格納している。
【００３０】
ユーザ認証情報管理Ｔｂとは、図４に示すように、各ユーザを識別するためにユーザ毎に定められた識別情報であるユーザＩＤとパスワードとを対応付けて記録しているテーブルのことである。即ち、本実施形態においては、ユーザＩＤが、利用者識別情報として用いられる。ユーザＩＤとパスワードとの組み合わせはユーザ毎に一意であるため、ユーザにより入力されたユーザＩＤ及びパスワードが、ユーザ認証情報管理Ｔｂに記録されているユーザＩＤ及びパスワードと一致すれば、そのユーザは本実施形態に係る書籍検索システムに登録されているユーザということになる。また、ユーザＩＤ及びパスワードは、書籍情報管理サーバ１により自動で割り当てられても良いし、ユーザが自由に決定しても良い。以下では、特に断りがない限り、ユーザＩＤとパスワードとの各組み合わせを総称して「ユーザ認証情報」とする。
【００３１】
ログイン履歴Ｔｂとは、図５に示すように、書籍情報管理サーバ１にログインしたユーザのユーザＩＤとそのログイン日時とを対応付けて記録しているテーブルのことであり、書籍情報管理サーバ１にログインしたユーザのユーザＩＤとそのログイン日時とを逐一記録するためのテーブルである。以下では、特に断りがない限り、書籍情報管理サーバ１にログインしたユーザのユーザＩＤとそのログイン日時との各組み合わせを総称して「ログイン履歴情報」とする。
【００３２】
ユーザ貸出履歴Ｔｂとは、図６に示すように、ユーザ毎に、貸し出された書籍の書籍ＩＤとその貸出日時とを対応付けて記録しているテーブルのことであり、あるユーザが借りた書籍の書籍ＩＤとその貸出日時を逐一記録するためのテーブルである。即ち、本実施形態においては、図６に示すユーザ貸出履歴Ｔｂが、利用者履歴情報として用いられる。以下では、特に断りがない限り、貸し出された書籍の書籍ＩＤとその貸出日時との各組み合わせを総称して「ユーザ貸出情報」とする。
【００３３】
書籍情報ＤＢ１２０は、所蔵管理テーブル（以下、「所蔵管理Ｔｂ」とする）を格納している。所蔵管理Ｔｂとは、本実施形態に係る書籍検索システムに登録されている各書籍についての書誌情報を、書籍毎に対応付けて記録しているテーブルであって、本実施形態においては、図７に示すように、「書籍ＩＤ」、「資料種別」、「タイトル」、「著者」、「出版社」「出版年月日」等の書誌情報が蓄積されている。即ち、本実施形態においては、図７に示す所蔵管理Ｔｂが、蓄積関連情報として用いられる。
【００３４】
ここで、図７における「書籍ＩＤ」とは、各書籍を識別するための識別情報であって、各書籍について一意に定められている。書籍ＩＤは、本実施形態に係る書籍情報管理サーバ１により自動で割り当てられても良いし、本実施形態に係る書籍検索システムの管理者が自由に決定しても良い。また、図７における「資料種別」とは、書籍の種類を示す情報であって、本実施形態においては図７に示すように、便宜上、「図書」と「雑誌」とが設定されているが、その他に、「論文」、「新聞」、「電子書籍」等が設定されていても良い。
【００３５】
Ｗｅｂサーバ１３０は、ＨＴＭＬ（ＨｙｐｅｒＴｅｘｔ  Ｍａｒｋｕｐ  Ｌａｎｇｕａｇｅ）文書や画像等の表示情報を蓄積し、クライアント端末２のＷｅｂブラウザからの要求に応じて、ＨＴＴＰ（Ｈｙｐｅｒｔｅｘｔ  Ｔｒａｎｓｆｅｒ  Ｐｒｏｔｏｃｏｌ）に則り、ネットワークＩ／Ｆ１０１及びネットワーク３を介してクライアント端末２のＷｅｂブラウザに対して上記表示情報を送信する。本実施形態において、Ｗｅｂサーバ１３０がクライアント端末２のＷｅｂブラウザに送信する上記表示情報は、例えば、後述する検索結果一覧表示情報や詳細画面表示情報である。また、Ｗｅｂサーバ１３０は、クライアント端末２のＷｅｂブラウザ上で入力された情報を受け付け、書籍情報管理部１００に含まれる各部に通知する。
【００３６】
ログイン処理部１４０は、ユーザがユーザ認証情報を入力する画面（以下、「ユーザ認証画面」とする）をクライアント端末２のＷｅｂブラウザ上に表示させるための表示情報（以下、「ユーザ認証画面表示情報」とする）を生成しＷｅｂサーバ１３０に通知する。また、ログイン処理部１４０は、ユーザ情報ＤＢ１１０を参照して、クライアント端末２のＷｅｂブラウザ上で入力され、Ｗｅｂサーバ１３０を介して通知されたユーザ認証情報に基づきログイン処理を行う。
【００３７】
書籍情報検索部１５０は、ログイン処理部１４０におけるユーザ認証後に、ユーザが検索条件を入力する画面（以下、「検索条件入力画面」とする）をクライアント端末２のＷｅｂブラウザ上に表示させるための表示情報（以下、「検索条件入力画面表示情報」とする）を生成しＷｅｂサーバ１３０に通知する。ここで、検索条件とは、書籍情報検索部１５０が所蔵管理Ｔｂから特定の書籍のみを検索する際に参照する条件のことであり、図１０を参照して後述する。即ち、本実施形態においては、検索条件が、指定された条件として用いられる。また、書籍情報検索部１５０は、クライアント端末２のＷｅｂブラウザ上で入力され、Ｗｅｂサーバ１３０を介して通知された検索条件に合致する書籍を所蔵管理Ｔｂから検索して、検索した書籍の書誌情報を抽出する。即ち、本実施形態においては、書籍情報検索部１５０が、検索処理部として機能する。
【００３８】
また、書籍情報検索部１５０は、抽出した書誌情報に基づいて、検索結果の一覧をクライアント端末２のＷｅｂブラウザ上に表示させるための表示情報（以下、「検索結果一覧表示情報」とする）を生成してＷｅｂサーバ１３０に通知する。検索結果一覧画面の詳細については、図１１〜図１４を参照して後述する。尚、本実施形態に係る検索結果一覧画面には検索条件に合致した書籍の一覧が表示されるが、それらの書籍のうち、ログインユーザが過去に借りたことがある書籍については、その旨をユーザに知らせるための表示がなされる。即ち、本実施形態においては、書籍情報検索部１５０が、検索結果一覧出力部として機能する。本実施形態に係る書籍検索システムは、このことを要旨の一つとしている。従って、本実施形態に係る書籍検索システムによれば、ユーザは、検索結果一覧画面以外の画面を開くことなく、検索結果一覧画面を閲覧するだけで、自身の貸出履歴を確認することが可能となるので、ユーザによる視認性を向上させることが可能となるとともに、貸出履歴を確認するための操作の分、ユーザの操作数を低減させることが可能となる。
【００３９】
次に、本実施形態に係るクライアント端末２の機能構成について、図８を参照して説明する。図８は、本実施形態に係るクライアント端末２の機能構成を模式的に示すブロック図である。図８に示すように、本実施形態に係るクライアント端末２は、システム利用部２００、ディスプレイパネル２０１、ネットワークＩ／Ｆ２０２を有する。また、システム利用部２００は、ユーザ認証情報入力部２１０、検索条件入力部２２０、検索一覧表示部２３０を含む。
【００４０】
ディスプレイパネル２０１は、クライアント端末２の状態やＷｅｂブラウザが提供する画面を視覚的に表示する出力インタフェースである。ディスプレイパネル２０１は、図２に示すＬＣＤ６０によって実現される。ネットワークＩ／Ｆ２０２は、クライアント端末２がネットワークを介して書籍情報管理サーバ１等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。尚、ネットワークＩ／Ｆ１０８は、図２に示すＩ／Ｆ５０によって実現される。
【００４１】
システム利用部２００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って動作することにより構成されるソフトウェア制御部と集積回路などのハードウェアとによってシステム利用部１００が構成される。システム利用部２００は、書籍情報管理サーバ１全体を制御する制御部として機能する。
【００４２】
システム利用部２００は、Ｗｅｂブラウザが提供する機能とハードウェアとの組み合わせにより実現され、ネットワーク３及びネットワークＩ／Ｆ２０２を介して書籍情報管理サーバ１のＷｅｂサーバ１３０から送信されてきた検索結果一覧表示情報や詳細画面表示情報等の表示情報をディスプレイパネル２０１に表示させる。また、システム利用部２００は、Ｗｅｂブラウザ上で入力された情報をＨＴＴＰに則りネットワークＩ／Ｆ２０２及びネットワーク３を介して書籍情報管理サーバ１のＷｅｂサーバ１３０に送信する。
【００４３】
ユーザ認証情報入力部２１０は、書籍情報管理サーバ１から送信されてきたユーザ認証画面表示情報に従ってユーザ認証画面をディスプレイパネル２０１に表示させる。また、ユーザ認証情報入力部２１０は、上記ユーザ認証画面で入力されたユーザ認証情報を書籍情報管理サーバ１に送信する。即ち、本実施形態おいては、ユーザ認証情報入力部２１０が、利用者識別情報取得部として機能する。検索条件入力部２２０は、ユーザ認証後に、書籍情報管理サーバ１から送信されてきた検索条件入力画面表示情報に従って検索条件入力画面をディスプレイパネル２０１に表示させる。また、検索条件入力部２２０は、上記検索条件入力画面で入力された検索条件を書籍情報管理サーバ１に送信する。即ち、本実施形態おいては、検索条件入力部２２０が、指定条件受付部として機能する。
【００４４】
結果一覧表示部２３０は、書籍情報管理サーバ１から送信されてきた検索結果一覧表示情報に従って検索結果一覧画面をディスプレイパネル２０１に表示させる。また、結果一覧表示部２３０は、上記検索結果一覧画面で選択された書籍の書籍ＩＤを書籍情報管理サーバ１に送信する。
【００４５】
また、クライアント端末２は図示しない操作部、例えば、キーボードやマウス等を備え、ユーザがその操作部を操作することにより、クライアント端末２に対して指示や情報を入力することができる。尚、このようなキーボードやマウス等の操作部は、図２に示す操作部７０によって実現される。
【００４６】
このように構成された書籍検索システムにおいて、本実施形態に係る要旨の一つは、検索結果一覧画面において、ログインユーザが過去に借りたことがある書籍については、その旨をユーザに知らせるための表示を行うことにある。従って、本実施形態に係る書籍検索システムによれば、ユーザは、検索結果一覧画面以外の画面を開くことなく、検索結果一覧画面を閲覧するだけで、自身の貸出履歴を確認することが可能となるので、ユーザによる貸出履歴の確認作業の効率化を図ることが可能となる。
【００４７】
次に、本実施形態に係る書籍検索システムが書籍を検索して検索結果の一覧を表示するまでの処理について、図９を参照して説明する。図９は、本実施形態に係る書籍検索システムが書籍を検索して検索結果の一覧を表示するまでの処理について説明するためのシーケンス図である。図９に示すように、本実施形態に係る書籍検索システムが書籍を検索するためにはまず、ユーザは、ユーザは、クライアント端末２を操作することによりユーザ認証画面にユーザ認証情報を入力する。これにより、クライアント端末２が、ユーザ認証情報を取得する（Ｓ９０１）。ユーザがユーザ認証画面にユーザ認証情報を入力すると、ユーザ認証情報入力部２１０は、入力されたユーザ認証情報を書籍情報管理サーバ１のログイン処理部１５０に送信する（Ｓ９０２）。
【００４８】
ログイン処理部１５０は、ユーザ認証情報を受信すると、ユーザ情報ＤＢ１１０に格納されているユーザ認証情報Ｔｂを参照して、上記ユーザ認証情報を入力したユーザが本実施形態に係る書籍検索システムに登録されているユーザであるか否かを確認してユーザ認証を行う（Ｓ９０３）。ログイン処理部１５０は、上記ユーザが書籍検索システムに登録されているユーザであると認証すると、このときのログイン履歴情報（ユーザＩＤとログイン時間の組み合わせ）をユーザ情報ＤＢ１１０のログイン履歴Ｔｂに記録する（Ｓ９０４）とともに、クライアント端末２にログインの完了を通知する（Ｓ９０５）。以上のような処理により、本実施形態に係る書籍検索システムへのログイン処理が終了する。
【００４９】
ログイン処理が終了すると、クライアント端末２のディスプレイパネル２０１には検索条件入力画面が表示され、ユーザがクライアント端末２を操作して上記検索条件入力画面に検索条件を入力することにより、クライアント端末２が検索条件を取得すると（Ｓ９０６）、検索条件入力部２２０は、入力された検索条件を書籍情報管理サーバ１の書籍情報検索部１５０に送信する（Ｓ９０７）。
【００５０】
ここで、本実施形態に係る書籍検索システムに書籍を検索させる際の検索条件について、図１０を参照して説明する。図１０は、本実施形態に係るクライアント端末２のディスプレイパネル２０１に表示される検索条件入力画面の表示例を示す図である。図１０に示すように、本実施形態に係る検索条件入力画面には、「キーワード」、「タイトル」、「著者」、「出版社」、「出版年月日」、「ＩＳＢＮ−１０」、「ＩＳＢＮ―１３」、「雑誌コード」の各項目について検索ワードを入力するための欄が表示されている。また、本実施形態に係る検索条件入力画面には、「図書」及び「雑誌」の少なくとも一項目を選択するためのチェックボックスが表示されている。
【００５１】
そして、ユーザがクライアント端末２を操作して、図１０に示すような検索条件入力画面の各項目に検索ワードを入力し、チェックボックスにチェックを入力することにより、検索条件入力部２２０は、入力された検索ワードとチェック項目を検索条件として書籍情報管理サーバ１に送信することが可能となる。
【００５２】
そして、書籍情報検索部１５０は、検索条件を受信すると、受信した検索条件に合致する書籍を書籍情報ＤＢ１２０の所蔵管理Ｔｂから検索して（Ｓ９０８）、検索条件に合致した書籍の書誌情報を抽出する（Ｓ９０９）。書籍情報検索部１５０は、書誌情報を抽出すると、ユーザ情報ＤＢ１１０を参照して、抽出した書誌情報に含まれる書籍ＩＤがログインユーザのユーザ貸出履歴Ｔｂに記録されているか否かを判断する（Ｓ９１０）。即ち、Ｓ９１０の処理においては、書籍情報検索部１５０が、履歴情報処理部として機能する。このような処理により、書籍情報検索部１５０は、ログインユーザが過去に借りたことがある書籍と借りたことがない書籍とを区別することが可能となる。そのため、本実施形態に係る書籍検索システムは、検索結果一覧画面に表示される書籍のうち、上記ユーザが過去に借りたことがある書籍については、その旨を知らせるための表示を行うことが可能となる。本実施形態に係る書籍検索システムは、このことを要旨の一つとしている。
【００５３】
書籍情報検索部１５０は、Ｓ９０９の処理において所蔵管理Ｔｂから抽出した書誌情報と、Ｓ９１０の処理における判断とに基づいて検索結果一覧表示情報を生成する（Ｓ９１１）。このとき、書籍情報管理部１５０は、Ｓ９１０の処理において、ユーザ貸出履歴Ｔｂに記録されている書籍ＩＤの書誌情報については、ログインユーザが過去に借りたことがある書籍とし、それ以外の書誌情報ついては、ログインユーザが過去に借りたことがない書籍として検索結果一覧表示情報を生成する。
【００５４】
そして、書籍情報管理部１５０は、生成した検索結果一覧表示情報をクライアント端末２に送信する（Ｓ９１２）。クライアント端末２が検索結果一覧表示情報を受信すると、検索一覧表示部２３０は、受信した検索結果一覧表示情報に従って検索結果一覧画面をディスプレイパネル２０１に表示させる（Ｓ９１３）。即ち、Ｓ９１３の処理においては、検索一覧表示部２３０が、検索結果一覧画面表示処理部として機能し、ディスプレイパネル２０１が表示装置として機能する。以上のような処理により、本実施形態に係る書籍検索システムが書籍を検索して検索結果の一覧を表示するまでの処理を終了する。
【００５５】
次に、本実施形態に係る書籍検索システムが表示する検索結果一覧画面について図１１を参照して説明する。図１１は、本実施形態に係るクライアント端末２のディスプレイパネル２０１に表示される検索結果一覧画面の表示例を示す図である。図１１に示すように、本実施形態に係る検索結果一覧画面には、「選択」、「Ｎｏ．」、「資料種別」、「タイトル」、「著者」、「出版社」、「出版年月日」、「所蔵場所」、「貸出可否」の各項目が表示されている。
【００５６】
「貸出可否」の欄には、その書籍について在庫があれば「○」が表示され、在庫がなければ「×」が表示され、「○」の書籍について、「選択」の欄のチェックボックスにチェックを入れて「選択した書籍を借りる」ボタンを押下すると、選択された書籍の貸出処理に移行する。尚、このような在庫の有無の判定は、書籍情報検索部１６０が、抽出された基本情報に含まれる「所蔵数」とその書籍の書籍貸出履歴Ｔｂとを比較することにより行われる。
【００５７】
「タイトル」の欄には、検索されて抽出された書籍のタイトルが特定の規則に従って表示されている。ここで、特定の規則とは、例えば、タイトルの頭文字による５０音順や出版年月日順、貸出回数順等の規則のことである。また、「タイトル」の欄の各書籍のタイトルは、ハイパーテキストによってその書籍の詳細画面に関連付けられている。そのため、ユーザがクライアント端末２の図示しないマウスを操作することにより、所望のタイトルにカーソルを合わせてクリックすると、本実施形態に係る書籍検索システムは、上記詳細画面を表示するための処理に移行する。尚、ここで詳細画面とは、上述したような書誌情報の他に、書籍に関するさらに詳細な情報、例えば、「ページ数」、「価格」、「ＩＳＢＮ」等の情報が表示される画面のことである。
【００５８】
「貸出履歴」の欄には、ログインユーザが過去に借りたことがある書籍について、その旨をユーザに知らせるための文章が表示される。例えば、図１１においては、ログインユーザが過去に借りたことがある書籍についての「貸出履歴」の欄には、「あなたはこの本を借りたことがあります。」と表示されて、その書籍を過去に借りたことがあることをユーザに知らせている。このように、本実施形態に係る検索結果一覧画面には書誌情報や貸出可否の他に、「貸出履歴」の欄が設けられており、その欄にはログインユーザの過去の貸出履歴が表示されるので、ユーザは、検索結果一覧画面以外の画面を開くことなく、検索結果一覧画面を閲覧するだけで、自身の貸出履歴を確認することが可能となる。従って本実施形態に係る書籍検索システムによれば、検索結果一覧画面におけるユーザによる視認性を向上させることが可能となるとともに、貸出履歴を確認するための操作の分、ユーザの操作数を低減させることが可能となる。
【００５９】
尚、「貸出履歴」の欄には、過去に借りたことがある旨を知らせるための文章とともに貸出年月日や貸出期間等の情報を表示するようにしても良いし、図１２に示すように、文章の替りに特定のアイコンを表示するようにしても良い。即ち、本実施形態においては、アイコンが、識別子として用いられる。また、図１１に示すような「貸出履歴」の欄を設けないで、ログインユーザが過去に借りたことがある書籍については、フォントサイズやフォントの色、フォント濃度等の表示態様が、その他の書籍と異なるようにして各項目の書誌情報等を表示するようにしても良い。
【００６０】
また、図１１に示すように、本実施形態に係る検索結果一覧画面には、「貸出あり」ボタンと「貸出なし」ボタンとが設けられている。そして、ユーザがクライアント端末２の図示しないマウスを操作することにより、「貸出なし」ボタンを押下すると、図１３に示すように、過去に借りたことがある書籍は表示されず、過去に借りたことがない書籍だけが表示される検索結果一覧画面に切り替わるようになっている。一方、「貸出なし」ボタンを押下すると、反対に、図１４に示すように、過去に借りたことがない書籍は表示されず、過去に借りたことがある書籍だけが表示される検索結果一覧画面に切り替わるようになっている。このような構成とすることにより、過去に借りたことがない書籍だけ、若しくは、過去に借りたことがある書籍だけを一つのページにより多く表示することが可能となるので、検索結果一覧画面におけるユーザによる視認性を向上させることが可能となるとともに、ページ送りのためのユーザの操作数を低減させることが可能となる。
【００６１】
尚、本実施形態においては、図１３及び図１４に示すように、元の検索結果一覧画面に戻るための「＜＜戻る」ボタンが設けられている。また、図１３及び図１４に示すように、本実施形態に係る検索結果一覧画面には、「切替え」ボタンが設けられている。そして、ユーザがクライアント端末２の図示しないマウスを操作することにより、そのボタンを押下すると、過去に借りたことがない書籍だけが表示される検索結果一覧画面と、過去に借りたことがある書籍だけが表示される検索結果一覧画面とが直接切り替わるようになっている。
【００６２】
以上、説明したように、本実施形態に係る書籍検索システムにおいては、検索条件に合致した書籍が表示される検索結果一覧画面において、ログインユーザが過去に借りたことがある書籍については、その旨をユーザに知らせるための表示がなされる。従って、本実施形態に係る書籍検索システムによれば、ユーザは、検索結果一覧画面以外の画面を開くことなく、検索結果一覧画面を閲覧するだけで、自身の貸出履歴を確認することが可能となるので、ユーザによる貸出履歴の確認作業の効率化を図ることが可能となる。
【００６３】
尚、本実施形態においては、ログインユーザが過去に借りたことがある書籍について、その旨をユーザに知らせる例について説明したが、反対に、ログインユーザが過去に借りたことがない書籍について、その旨をユーザに知らせるように構成されていても良い。
【００６４】
また、本実施形態においては、書籍情報管理サーバ１が本発明に係る検索システムの主要な機能を提供する例について説明したが、特にこれに限られず、書籍情報管理部１００に含まれる各部や各データベースがそれぞれ個々の装置で実現されるように構成されていても良いし、適宜、それらを組み合わせて複数のサーバ装置により実現されても良い。
【００６５】
また、本実施形態においては、ユーザが所望する書籍を検索対象の情報として検索する書籍検索システムを例にして説明したが、検索対象とすることが可能なものは特にこれに限らず、例えば、電子書籍を検索する電子書籍検索システムや、ゲームや画像、動画、音楽などのコンテンツを検索するコンテンツ検索システム、靴や服、雑貨、食品等の物品を検索する物品検索システム等、あらゆる検索対象についての検索システムにおいて適用することが可能である。
【００６６】
また、本実施形態においては、図書館における書籍の貸出履歴を例にして説明したが、ショッピングセンターやネットショッピングにおける物品の購入履歴であっても適用可能である。このような場合、例えば、検索結果一覧画面には、図１１における「貸出履歴」に相当する欄として「購入履歴」の欄が設けられ、その欄には例えば「あなたはこの商品を過去に購入したことがあります。」といった文章が表示されて、その商品を過去に購入したことがあることをユーザに知らせることが可能となる。
【符号の説明】
【００６７】
１  書籍情報管理サーバ
２  クライアント端末
３  ネットワーク
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  書籍情報管理部
１０１  ネットワークＩ／Ｆ
１１０  ユーザ情報データベース
１２０  書籍情報データベース
１３０  Ｗｅｂサーバ
１４０  ログイン処理部
１５０  書籍情報検索部
２００  システム利用部
２０１  ディスプレイパネル
２０２  ネットワークＩ／Ｆ
２１０  ユーザ認証情報入力部
２２０  検索条件入力部
２３０  結果一覧表示部
【先行技術文献】
【特許文献】
【００６８】
【特許文献１】特開２００３−０９１６２１号公報
【図１】
2014021764.tif 000003
【図２】
2014021764.tif 000004
【図３】
2014021764.tif 000005
【図４】
2014021764.tif 000006
【図５】
2014021764.tif 000007
【図６】
2014021764.tif 000008
【図７】
2014021764.tif 000009
【図８】
2014021764.tif 000010
【図９】
2014021764.tif 000011
【図１１】
2014021764.tif 000012
【図１３】
2014021764.tif 000013
【図１４】
2014021764.tif 000014
【図１０】
2014021764.tif 000015
【図１２】
2014021764.tif 000016